(57)【要約】【課題】管理サーバへのデータの送信による予期しない通信料金の請求を防止できる管理システムを提供する。【解決手段】血糖値を測定する血糖値測定装置１と、管理サーバと、ネットワーク回線を介して管理サーバと通信を行う通信装置とを備える管理システムにおいて、血糖値測定装置１の制御部１８にデータ送信部１８ｆ、送信指示部１８ｇ、禁止条件判別部１８ｃ、および送信禁止部１８ｈを設けた。データ送信部１８ｆは血糖値等データを通信装置に送信する。送信指示部１８ｇは血糖値等データの管理サーバへの送信を通信装置に指示する。禁止条件判別部１８ｃは禁止条件を満たしているか否かを判別する。送信禁止部１８ｈは禁止条件を満たしていると判別された場合に、データ送信部１８ｆによる送信を禁止するか送信指示部１８ｇによる送信指示を禁止することで、血糖値等データが管理サーバに送信されないようにする。【選択図】図２
2012239162.tif 000002
【特許請求の範囲】
【請求項１】
ネットワーク回線を介して受信したデータを管理する管理装置を備える管理システムにおける、前記データを測定する測定手段を有する測定装置であって、
前記管理装置と通信を行う通信装置に前記データを送信するデータ送信手段と、
所定の禁止条件を満たしているか否かを判別する禁止条件判別手段と、
前記禁止条件判別手段が前記所定の禁止条件を満たしていると判別した場合に、前記データが前記通信装置又は前記管理装置に送信されないようにする送信禁止手段と、
を備えていることを特徴とする測定装置。
【請求項２】
前記通信装置は前記データ送信手段によって送信された前記データを記憶するための第１の記憶手段を備えており、
前記測定手段によって測定された前記データを記憶するための第２の記憶手段と、
前記データを前記第１の記憶手段にのみ記憶するか、前記第２の記憶手段にのみ記憶するか、両方に記憶するかを選択する選択手段と、
前記通信装置に前記データの前記管理装置への送信を指示する送信指示手段と、
をさらに備え、
前記送信禁止手段は、
前記選択手段によって前記第１の記憶手段に前記データを記憶するようにされていた場合は、前記送信指示手段による送信指示を禁止し、
前記選択手段によって前記第２の記憶手段にのみ前記データを記憶するようにされていた場合は、前記データ送信手段による前記データの送信を禁止する、
請求項１に記載の測定装置。
【請求項３】
測定物を配置するセンサを装着するためのセンサ装着部と、
前記センサ装着部への前記センサの装着の有無を検知するセンサ検知手段と、
をさらに備え、
前記選択手段は、前記センサ検知手段によって検知された前記センサの装着の有無に基づいて選択する、
請求項２に記載の測定装置。
【請求項４】
前記通信装置の通信サービス状況を確認する状況確認手段をさらに備え、
前記禁止条件判別手段は、前記状況確認手段によって所定のサービスが行われると確認された場合に、前記所定の禁止条件を満たしたと判別する、
請求項２または３のいずれかに記載の測定装置。
【請求項５】
前記所定のサービスは国際ローミングである、請求項４に記載の測定装置。
【請求項６】
前記送信指示手段は、送信を指示する際に、併せて前記管理装置のアドレスを送信する、請求項２ないし５のいずれかに記載の測定装置。
【請求項７】
前記通信装置は前記管理装置と通信を行うための通信ネットワークを検出する検出手段を備え、
前記検出手段が検出した前記通信ネットワークの情報を受信するネットワーク情報受信手段と、
前記受信したネットワーク情報を表示する表示手段と、
前記表示手段に表示された前記ネットワーク情報を選択するネットワーク選択手段と、
前記ネットワーク選択手段によって選択されたネットワーク情報に対応する通信ネットワークを、前記通信装置が前記管理装置と通信を行うための通信ネットワークに設定するネットワーク設定手段と、
測定物を配置するセンサを装着するためのセンサ装着部と、
前記センサ装着部への前記センサの装着の有無を検知するセンサ検知手段と、
をさらに備え、
前記ネットワーク選択手段は、前記センサ検知手段によって検知された前記センサの装着の有無に基づいて前記通信ネットワークを選択する、
請求項１ないし６のいずれかに記載の測定装置。
【請求項８】
所定の解除条件を満たしているか否かを判別する解除条件判別手段をさらに備え、
前記送信禁止手段は、前記禁止条件判別手段が前記所定の禁止条件を満たしていると判別し、かつ、前記解除条件判別手段が前記所定の解除条件を満たしていないと判別した場合に、前記データが前記通信装置又は前記管理装置に送信されないようにする、
請求項１ないし７のいずれかに記載の測定装置。
【請求項９】
ネットワーク回線を介して受信したデータを管理する管理装置を備える管理システムにおける、前記管理装置と通信を行う通信装置であって、
測定装置が測定した測定結果を前記データとして取得するデータ取得手段と、
前記データ取得手段が前記データを取得した場合に前記データを前記管理装置に送信する転送手段と、
所定の禁止条件を満たしているか否かを判別する禁止条件判別手段と、
前記禁止条件判別手段が前記所定の禁止条件を満たしていると判別した場合に、前記転送手段が前記データを前記管理装置に送信することを禁止する送信禁止手段と、
を備えていることを特徴とする通信装置。
【請求項１０】
通信サービス状況を確認する状況確認手段をさらに備え、
前記禁止条件判別手段は、前記状況確認手段によって所定のサービスが行われると確認された場合に、前記所定の禁止条件を満たしたと判別する、
請求項９に記載の通信装置。
【請求項１１】
前記所定のサービスは国際ローミングである、請求項１０に記載の通信装置。
【請求項１２】
所定の解除条件を満たしているか否かを判別する解除条件判別手段をさらに備え、
前記送信禁止手段は、前記禁止条件判別手段が前記所定の禁止条件を満たしていると判別し、かつ、前記解除条件判別手段が前記所定の解除条件を満たしていないと判別した場合に、前記転送手段が前記データを前記管理装置に送信することを禁止する、
請求項９ないし１１のいずれかに記載の通信装置。
【請求項１３】
前記管理装置は前記データの種類毎に設けられており、
前記データの種類を識別するデータ識別手段をさらに備えており、
前記転送手段は、前記データを前記データ識別手段によって識別された種類に対応する管理装置に送信する、
請求項９ないし１２のいずれかに記載の通信装置。
【請求項１４】
前記管理装置と、
請求項１ないし８のいずれかに記載の測定装置、または、請求項９ないし１３のいずれかに記載の通信装置と、
を備えていることを特徴とする管理システム。
【請求項１５】
ネットワーク回線を介して受信したデータを管理する管理装置を備える管理システムにおける、前記データを測定する測定装置のコンピュータを制御するプログラムであって、
前記コンピュータを、
前記管理装置と通信を行う通信装置に前記データを送信するデータ送信手段と、
所定の禁止条件を満たしているか否かを判別する禁止条件判別手段と、
前記禁止条件判別手段が前記所定の禁止条件を満たしていると判別した場合に、前記データが前記通信装置又は前記管理装置に送信されないようにする送信禁止手段と、
して機能させることを特徴とするプログラム。
【請求項１６】
ネットワーク回線を介して受信したデータを管理する管理装置を備える管理システムにおける、前記管理装置と通信を行う通信装置のコンピュータを制御するプログラムであって、
前記コンピュータを
前記データを取得した場合に前記データを前記管理装置に送信する転送手段と、
所定の禁止条件を満たしているか否かを判別する禁止条件判別手段と、
前記禁止条件判別手段が前記所定の禁止条件を満たしていると判別した場合に、前記転送手段が前記データを前記管理装置に送信することを禁止する送信禁止手段と、
して機能させることを特徴とするプログラム。
【発明の詳細な説明】
【技術分野】
【０００１】
本発明は、測定結果であるデータを管理サーバに送信し当該管理サーバでデータの管理を行う管理システム、当該管理システムにおいて測定を行う測定装置、当該管理システムにおいてデータを送信する通信装置、および、測定装置または通信装置を制御するプログラムに関する。
【背景技術】
【０００２】
従来、患者が種々のデータを自分で測定することができる携帯型の測定装置が開発されている。例えば、糖尿病患者は、食後および就寝前に血糖値の測定をする必要がある。血糖値測定装置は、糖尿病患者が簡単に自分で血糖値を測定できるようにした携帯型の測定装置である。血糖値測定装置には、測定された血糖値などのデータ（以下では、「血糖値等データ」とする）をネットワーク回線を介して管理サーバに送信できるものがある。
【０００３】
図９は、通信装置を用いて通信を行い、ネットワーク回線を介して管理サーバに接続できる血糖値測定装置を説明するための図である。
【０００４】
血糖値測定装置１００は、血糖値を測定するものである。血糖値測定装置１００は、接続ケーブルで通信装置３に接続されている。血糖値測定装置１００が測定した血糖値などのデータは、接続ケーブルで接続されたとき、あるいは、接続されて所定の操作が行われたときに、通信装置３に出力される。通信装置３は、入力された血糖値等データをネットワーク回線４を介して管理サーバ５に転送する。管理サーバ５は、受信した血糖値等データを蓄積記録する。患者および担当医は、管理サーバ５にアクセスすることで、蓄積された血糖値等データを見ることができる。
【０００５】
通信装置３として携帯電話装置などを用いる場合、患者は、血糖値を測定したその場で、血糖値等データを管理サーバ５に送信することができる。この場合、血糖値測定装置１００を持ち帰ってネットワーク回線４にアクセスできるパソコンなどに接続する必要がない。
【先行技術文献】
【特許文献】
【０００６】
【特許文献１】特開２００４-６２２８５号公報
【発明の概要】
【発明が解決しようとする課題】
【０００７】
携帯電話装置によっては、国際ローミングサービスを利用できるものもある。この場合、患者は、外国滞在中でも血糖値等データを管理サーバ５に送信することができる。しかしながら、一般的に国際ローミング時の通信料金は高額なので、外国滞在中に血糖値等データを送信すると請求される通信料金が高額となる。定額料金プランを契約している場合、患者は個別の通信料金を気にしないが、一般的な定額料金プランでは国際ローミング時の通信料金は別料金となっている。したがって、患者がこのことを知らずに利用して高額の請求がされるという問題が生じる。
【０００８】
また、時間帯によって通信料金が異なる（割引になる）時間帯割引サービスを利用する場合にも、同様に問題が生じる場合がある。例えば、患者が通信料金の安い時間帯に血糖値等データを送信したつもりであったが、実際に送信されたのが通信料金の高い時間帯であった場合にも、予期しない高い通信料金が請求されることになる。
【０００９】
なお、上記の問題は、血糖値測定装置１００が携帯電話装置以外の通信装置を用いて通信を行う場合にも生じる。例えば、通信装置がスマートフォンやパソコンなどであっても、同様の問題が生じる場合がある。また、血糖値測定装置１００以外の測定装置の場合（例えば、血液分析装置や尿分析装置、心電図測定装置、血圧測定装置など）にも、同様の問題が生じる。例えば血圧測定装置を体に装着し、継続的に血圧を測定して送信する場合などに、特に問題が生じる。すなわち、この場合は継続的に測定結果を送信する必要から、測定装置と通信装置とが常時接続されていて、測定の度に測定結果を自動送信することになる。この場合、患者の意志とは無関係に測定結果が送信されるので、患者は測定結果が送信されていることを忘れがちになる。したがって、患者は外国に滞在していることや時間帯を気にしていない場合があり、通信料金の請求がきて初めて通信料金の高さに気付くことになる。
【００１０】
本発明は上記した事情のもとで考え出されたものであって、管理サーバへのデータの送信による予期しない通信料金の請求を防止できる管理システムを提供することをその目的としている。
【課題を解決するための手段】
【００１１】
上記課題を解決するため、本発明では、次の技術的手段を講じている。
【００１２】
本発明の第１の側面によって提供される測定装置は、ネットワーク回線を介して受信したデータを管理する管理装置を備える管理システムにおける、前記データを測定する測定手段を有する測定装置であって、前記管理装置と通信を行う通信装置に前記データを送信するデータ送信手段と、所定の禁止条件を満たしているか否かを判別する禁止条件判別手段と、前記禁止条件判別手段が前記所定の禁止条件を満たしていると判別した場合に、前記データが前記通信装置又は前記管理装置に送信されないようにする送信禁止手段とを備えていることを特徴とする。
【００１３】
なお、本発明における「測定装置」とは、測定を行って測定結果をデータとして出力するものである。例えば、測定物から特定の成分を検出してその成分量や構成比率を測定値として算出するものとして、血液中のグルコース濃度を測定する血糖値測定装置や血液分析装置、尿分析装置などがある。また、心臓の筋肉を流れる電流値を測定する心電図測定装置や血圧測定装置なども「測定装置」に含まれる。また、医療用のものに限られず、果汁中の糖分濃度を測定する糖度測定装置や、ＧＰＳ（Global Positioning System）技術を用いて位置情報を測定する位置測定装置なども「測定装置」に含まれる。
【００１４】
また、本発明における「通信装置」とは、ネットワーク回線を介して通信を行うものである。例えば、携帯電話装置、スマートフォン、携帯情報端末、ラップトップパソコン、デスクトップパソコン、固定電話などが「通信装置」に含まれる。
【００１５】
本発明の好ましい実施の形態では、前記通信装置は前記データ送信手段によって送信された前記データを記憶するための第１の記憶手段を備えており、前記測定装置は、前記測定手段によって測定された前記データを記憶するための第２の記憶手段と、前記データを前記第１の記憶手段にのみ記憶するか、前記第２の記憶手段にのみ記憶するか、両方に記憶するかを選択する選択手段と、前記通信装置に前記データの前記管理装置への送信を指示する送信指示手段とをさらに備え、前記送信禁止手段は、前記選択手段によって前記第１の記憶手段に前記データを記憶するようにされていた場合は、前記送信指示手段による送信指示を禁止し、前記選択手段によって前記第２の記憶手段にのみ前記データを記憶するようにされていた場合は、前記データ送信手段による前記データの送信を禁止する。
【００１６】
本発明の好ましい実施の形態では、前記測定装置は、測定物を配置するセンサを装着するためのセンサ装着部と、前記センサ装着部への前記センサの装着の有無を検知するセンサ検知手段とをさらに備え、前記選択手段は、前記センサ検知手段によって検知された前記センサの装着の有無に基づいて選択する。
【００１７】
本発明の好ましい実施の形態では、前記測定装置は、前記通信装置の通信サービス状況を確認する状況確認手段をさらに備え、前記禁止条件判別手段は、前記状況確認手段によって所定のサービスが行われると確認された場合に、前記所定の禁止条件を満たしたと判別する。
【００１８】
本発明の好ましい実施の形態では、前記所定のサービスは国際ローミングである。
【００１９】
本発明の好ましい実施の形態では、前記測定装置の前記送信指示手段は、送信を指示する際に、併せて前記管理装置のアドレスを送信する。
【００２０】
本発明の好ましい実施の形態では、前記通信装置は前記管理装置と通信を行うための通信ネットワークを検出する検出手段を備え、前記測定装置は、前記検出手段が検出した前記通信ネットワークの情報を受信するネットワーク情報受信手段と、前記受信したネットワーク情報を表示する表示手段と、前記表示手段に表示された前記ネットワーク情報を選択するネットワーク選択手段と、前記ネットワーク選択手段によって選択されたネットワーク情報に対応する通信ネットワークを、前記通信装置が前記管理装置と通信を行うための通信ネットワークに設定するネットワーク設定手段と、測定物を配置するセンサを装着するためのセンサ装着部と、前記センサ装着部への前記センサの装着の有無を検知するセンサ検知手段とをさらに備え、前記ネットワーク選択手段は、前記センサ検知手段によって検知された前記センサの装着の有無に基づいて前記通信ネットワークを選択する。
【００２１】
本発明の好ましい実施の形態では、前記測定装置は、所定の解除条件を満たしているか否かを判別する解除条件判別手段をさらに備え、前記送信禁止手段は、前記禁止条件判別手段が前記所定の禁止条件を満たしていると判別し、かつ、前記解除条件判別手段が前記所定の解除条件を満たしていないと判別した場合に、前記データが前記通信装置又は前記管理装置に送信されないようにする。
【００２２】
本発明の第２の側面によって提供される通信装置は、ネットワーク回線を介して受信したデータを管理する管理装置を備える管理システムにおける、前記管理装置と通信を行う通信装置であって、測定装置が測定した測定結果を前記データとして取得するデータ取得手段と、前記データ取得手段が前記データを取得した場合に前記データを前記管理装置に送信する転送手段と、所定の禁止条件を満たしているか否かを判別する禁止条件判別手段と、前記禁止条件判別手段が前記所定の禁止条件を満たしていると判別した場合に、前記転送手段が前記データを前記管理装置に送信することを禁止する送信禁止手段とを備えていることを特徴とする。
【００２３】
本発明の好ましい実施の形態では、前記通信装置は、通信サービス状況を確認する状況確認手段をさらに備え、前記禁止条件判別手段は、前記状況確認手段によって所定のサービスが行われると確認された場合に、前記所定の禁止条件を満たしたと判別する。
【００２４】
本発明の好ましい実施の形態では、前記所定のサービスは国際ローミングである。
【００２５】
本発明の好ましい実施の形態では、前記通信装置は、所定の解除条件を満たしているか否かを判別する解除条件判別手段をさらに備え、前記送信禁止手段は、前記禁止条件判別手段が前記所定の禁止条件を満たしていると判別し、かつ、前記解除条件判別手段が前記所定の解除条件を満たしていないと判別した場合に、前記転送手段が前記データを前記管理装置に送信することを禁止する。
【００２６】
本発明の好ましい実施の形態では、前記管理装置は前記データの種類毎に設けられており、前記通信装置は、前記データの種類を識別するデータ識別手段をさらに備えており、前記転送手段は、前記データを前記データ識別手段によって識別された種類に対応する管理装置に送信する。
【００２７】
本発明の第３の側面によって提供される管理システムは、前記管理装置と、本発明の第１の側面によって提供される測定装置、または、本発明の第２の側面によって提供される通信装置とを備えていることを特徴とする。
【００２８】
本発明の第４の側面によって提供されるプログラムは、ネットワーク回線を介して受信したデータを管理する管理装置を備える管理システムにおける、前記データを測定する測定装置のコンピュータを制御するプログラムであって、前記コンピュータを、前記管理装置と通信を行う通信装置に前記データを送信するデータ送信手段と、所定の禁止条件を満たしているか否かを判別する禁止条件判別手段と、前記禁止条件判別手段が前記所定の禁止条件を満たしていると判別した場合に、前記データが前記通信装置又は前記管理装置に送信されないようにする送信禁止手段として機能させることを特徴とする。
【００２９】
本発明の第５の側面によって提供されるプログラムは、ネットワーク回線を介して受信したデータを管理する管理装置を備える管理システムにおける、前記管理装置と通信を行う通信装置のコンピュータを制御するプログラムであって、前記コンピュータを前記データを取得した場合に前記データを前記管理装置に送信する転送手段と、所定の禁止条件を満たしているか否かを判別する禁止条件判別手段と、前記禁止条件判別手段が前記所定の禁止条件を満たしていると判別した場合に、前記転送手段が前記データを前記管理装置に送信することを禁止する送信禁止手段として機能させることを特徴とする。
【発明の効果】
【００３０】
本発明によれば、所定の禁止条件を満たしている場合に、測定手段によって測定されたデータの通信装置又は管理装置への送信が禁止される。したがって、所定の禁止条件を満たしている間は管理装置へのデータの送信が行われないので、予期しない通信料金が請求されることを防止することができる。
【００３１】
本発明のその他の特徴および利点は、添付図面を参照して以下に行う詳細な説明によって、より明らかとなろう。
【図面の簡単な説明】
【００３２】
【図１】第１実施形態に係る血糖値測定装置を用いた管理システムの概略構成を説明するための図である。
【図２】第１実施形態に係る血糖値測定装置を説明するためのブロック図である。
【図３】第１実施形態に係る血糖値測定装置の制御部が行う自動送信処理を説明するためのフローチャートである。
【図４】第２実施形態に係る血糖値測定装置を説明するためのブロック図である。
【図５】第２実施形態に係る通信装置を説明するためのブロック図である。
【図６】第２実施形態に係る通信装置の制御部が行う自動送信処理を説明するためのフローチャートである。
【図７】第３実施形態に係る血糖値測定装置を説明するためのブロック図である。
【図８】第３実施形態に係る血糖値測定装置の制御部が行う自動送信処理を説明するためのフローチャートである。
【図９】従来の血糖値測定装置を用いた管理システムの概略構成を説明するための図である。
【発明を実施するための形態】
【００３３】
以下、本発明の実施の形態を、本発明を血糖値測定装置に適用した場合を例として、添付図面を参照して具体的に説明する。
【００３４】
図１は、第１実施形態に係る血糖値測定装置を用いた管理システムの概略構成を説明するための図である。図２は、第１実施形態に係る血糖値測定装置を説明するためのブロック図である。
【００３５】
管理システムＡは、患者の血糖値を管理する管理システムである。図１に示すように、管理システムＡは、血糖値測定装置１、通信装置３、ネットワーク回線４、および管理サーバ５によって構成されている。血糖値測定装置１は患者が血糖値を測定するためのものである。血糖値測定装置１は、装着されたセンサ２に付着された血液の血糖値を測定し、血糖値等データを通信装置３に送信する。
【００３６】
通信装置３は、例えば、携帯電話装置であって、通信機能を有するものである。通信装置３は、血糖値測定装置１から送信された血糖値等データを、ネットワーク回線４を介して管理サーバ５に送信する。また、通信装置３は、常に通信可能な無線基地局を認識している。通信装置３は、海外において、契約通信会社の無線基地局と通信が不可能な場合でも、契約通信会社の提携会社の無線基地局と通信が可能であれば、国際ローミングにより通信を行うことができる。また、通信装置３は、通信可能な無線基地局に対応する通信ネットワークの情報を血糖値測定装置１に送信することができる。
【００３７】
管理サーバ５は、受信した血糖値等データを蓄積管理するサーバである。患者および担当医は、管理サーバ５にアクセスすることで、蓄積された血糖値等データをみることができる。
【００３８】
図２に示すように、血糖値測定装置１は、センサ装着部１１、センサ検知部１２、操作部１３、表示部１４、通信部１５、分析用電気回路部１６、記憶部１７、および、制御部（ＣＰＵ）１８を備えている。また、血糖値測定時などには、血糖値測定装置１のセンサ装着部１１にセンサ２が装着される。
【００３９】
センサ装着部１１は、センサ２が装着される部分であり、血糖値測定装置１本体の先端部分（図１参照）に形成された、センサ２の一方端が挿入可能な凹部である。なお、センサ装着部１１の形状はこれに限られず、センサ２の形状や特性などに応じて設計すればよい。センサ２は、血液を付着させる部分と当該部分に電圧を印加するための電極とを備えている（いずれも図示しない）。センサ装着部１１には、センサ２の電極と接続するための図示しない電極が設けられている。
【００４０】
センサ検知部１２は、センサ装着部１１にセンサ２が装着されたか否かを検知するものである。センサ装着部１１の内部には図示しないスイッチが設けられており、センサ装着部１１にセンサ２が挿入されると、当該スイッチがセンサ２によって押圧されてオンになる。センサ検知部１２は、スイッチがオンになったことを検知して、センサ２が装着されたことを示す信号を制御部１８に入力する。制御部１８は、この信号に基づいて、センサ２が装着されたか否かを判断する。なお、センサ検知部１２の構成はこれに限られず、センサ２の装着を適切に検知するものであればよい。
【００４１】
本実施形態では、制御部１８は、センサ２が装着された場合に電源をオンにして測定が可能な状態にし、その後所定時間以上経過した後にセンサ２の装着が検知されなくなった場合に電源をオフにする。また、本実施形態では、センサ２の装着の有無に基づく信号を、各種設定を行う場合などの操作入力として利用している。すなわち、センサ２の装着状態において、一旦センサ２をセンサ装着部１１から抜き取り所定の時間以内に再度挿入すること（以下では「センサ挿出入」とする）を操作入力としている。センサ挿出入による操作入力は、例えば、後述する記憶モードの選択や通信ネットワークの設定において、利用されている。なお、センサ挿出入は、センサ２の抜き取りから再挿入までの時間により異なる操作入力としてもよい。また、例えば、センサ２の抜き取りと再挿入を続けて２回行うことを、別の操作入力としてもよい。
【００４２】
操作部１３は、操作入力のために押圧されるボタンを備えている。当該ボタンは、血糖値測定装置１本体の表面（図１において紙面手前側の面）に配置されている。操作部１３は、ボタンが押圧された場合に操作信号を制御部１８に入力する。制御部１８は操作信号を入力されることで、操作部１３による操作入力がされたことを認識する。なお、ボタンの配置場所やボタンの数は、図１に示すものに限定されない。また、すべての操作入力をセンサ挿出入で行う場合は、操作部１３が設けられていなくてもよい。
【００４３】
表示部１４は、測定された血糖値や注意を促すメッセージなどを表示するものであり、血糖値測定装置１本体の表面に配置されている。表示部１４は、例えば液晶表示装置の表示画面により構成されている。
【００４４】
通信部１５は、Ｂｌｕｅｔｏｏｔｈ（登録商標）技術を用いた短距離無線通信を行うものである。通信部１５は、あらかじめ通信装置３とペアリングが行われることで、通信装置３との間で情報を送受信することができる。なお、通信部１５はこれに限定されず、赤外線通信などの他の通信技術で通信を行うようにしてもよい。また、無線通信に限定されず、接続ケーブルで接続して有線通信を行うようにしてもよい。なお、血糖値測定装置１が通信装置３と無線通信を行う場合、血糖値測定装置１と通信装置３との間で通信が行われて血糖値等データが自動送信されていることに患者が気付きにくいので、本発明がより有効となる。
【００４５】
分析用電気回路部１６は、センサ装着部１１に装着されたセンサ２の所定部分に血液が付着された場合に、センサ装着部１１の電極を介してセンサ２の電極に電圧を印加し、付着された血液中のグルコース濃度に対応した応答電流を生じさせる。また、分析用電気回路部１６は、応答電流を電圧変換し、この電圧信号を制御部１８に入力する。制御部１８の測定値算出部１８ａ（後述）は、入力された電圧信号に基づいてグルコース濃度を算出する。算出されたグルコース濃度が血糖値を示している。このような血糖値の測定方法は周知なので、詳細な説明を省略する。センサ２、センサ装着部１１、分析用電気回路部１６、および制御部１８（測定値算出部１８ａ）が組み合わされた構成が、本発明の「測定部」に対応する。当該測定部は、血糖値を測定している。なお、血糖値の測定方法はこれに限られず、他の方法で血糖値を測定するようにしてもよい。
【００４６】
記憶部１７は、ＲＯＭ、ＲＡＭ、および不揮発性メモリなどを備えている。ＲＯＭは、制御部１８で実行される制御プログラムなどが記憶されるものである。ＲＡＭは、測定された血糖値等のデータが仮に格納されるためのエリアと制御部１８が演算などを行う際に使用するワークエリアを提供するものである。不揮発性メモリは、血糖値等データなどを記憶しておくものである。なお、後述する図３のフローチャートに示す自動送信処理などのプログラムは、あらかじめＲＯＭに記憶しておいてもよいし、ネットワーク回線４および通信装置３を介してダウンロードして不揮発性メモリに記憶するようにしてもよい。
【００４７】
制御部１８は、血糖値測定装置１の各種制御や信号処理を行うものであり、例えば、ＣＰＵを用いて構成されている。制御部１８を機能的な観点から見ると、測定値算出部１８ａ、状況確認部１８ｂ、禁止条件判別部１８ｃ、解除条件判別部１８ｄ、選択部１８ｅ、データ送信部１８ｆ、送信指示部１８ｇ、および、送信禁止部１８ｈを備えた構成となっている。
【００４８】
測定値算出部１８ａは、分析用電気回路部１６から入力された電圧信号に基づいて血糖値を算出するものである。測定値算出部１８ａで算出された血糖値に、測定日時を示すデータおよび患者を識別するための識別データなどが付加されて、血糖値等データが生成される。
【００４９】
状況確認部１８ｂは、通信装置３のサービス状況を確認するものである。確認されるサービス状況には、通信装置３が通信を行った場合に国際ローミングによる通信となる状態（以下では、「国際ローミング状態」とする）であるか否かが含まれる。状況確認部１８ｂは、通信部１５を介して通信装置３にサービス状況の問い合わせのための信号を送信する。当該信号を受信した通信装置３は、国際ローミング状態であるか否かを含むサービス状況を確認する。契約通信会社の無線基地局と通信が不可能であり、契約通信会社の海外の提携会社の無線基地局と通信が可能である状態である場合が国際ローミング状態である。通信装置３は、サービス状況の内容を回答情報として、通信部１５に送信する。状況確認部１８ｂは、通信部１５を介して回答情報を受信する。
【００５０】
禁止条件判別部１８ｃは、状況確認部１８ｂが受信した回答情報のサービス状況から、国際ローミング状態であるか否かを判別するものである。すなわち、禁止条件判別部１８ｃは、「国際ローミング状態である」という禁止条件を満たしているか否かを判別している。なお、禁止条件はこれに限られない。禁止条件およびその判別の方法は、適宜設定すればよい。
【００５１】
本実施形態においては、禁止条件を満たしている場合でも血糖値等データを管理サーバ５に送信するための設定である送信禁止解除設定をあらかじめ設定しておくことができる。解除条件判別部１８ｄは、この送信禁止解除設定が設定されているか否かを判別するものである。すなわち、解除条件判別部１８ｄは、「送信禁止解除設定が設定されている」という解除条件を満たしているか否かを判別している。つまり、解除条件判別部１８ｄは、管理サーバ５への送信を許可するようにあらかじめ設定されていた場合、所定の解除条件を満たしたと判別する。解除条件を満たしている場合、禁止条件を満たしていても血糖値等データを管理サーバ５に送信することができる。したがって、通信料金に関係なく血糖値等データをすぐに管理サーバ５に送信すべき場合に有効である。
【００５２】
なお、解除条件はこれに限られない。例えば、血糖値測定装置１の記憶部１７および通信装置３の記憶部の血糖値等データを記憶する領域がともに一杯であることを解除条件としてもよい。この場合、血糖値等データが記憶されなかったり、上書きされてしまって、消滅してしまうことを防ぐことができる。また、禁止条件を満たしていた場合に、その旨と本当に送信しなくてもいいかを問い合わせるメッセージを表示部１４に表示し、送信するか否かを患者に選択させるようにしてもよい。この場合、患者が送信することを選択した場合に解除条件を満たしたことになる。この場合、患者の要望に応じて、送信するか記憶するかを決定することができる。なお、解除条件を設定せず、解除条件判別部１８ｄを設けないようにしてもよい。
【００５３】
本実施形態においては、血糖値等データを管理サーバ５に送信しない場合に、血糖値等データをいずれの記憶部に記憶するかをあらかじめ選択しておくことができる。すなわち、血糖値測定装置１の記憶部１７に記憶する測定装置記憶モード、通信装置３の記憶部に記憶する通信装置記憶モード、または、両方に記憶する両方記憶モードのいずれの記憶モードにするかを選択することができる。選択部１８ｅは、この記憶モードを選択するものである。選択部１８ｅは、センサ検知部１２から入力される信号によって、センサ挿出入がされたことを判断して、記憶モードの切り替えを行う。すなわち、記憶モードが測定装置記憶モードのときにセンサ挿出入がされると通信装置記憶モードに切り替えられ、通信装置記憶モードのときにセンサ挿出入がされると両方記憶モードに切り替えられ、両方記憶モードのときにセンサ挿出入がされると測定装置記憶モードに切り替えられる。なお、記憶モードの選択方法はこれに限られず、センサ挿出入と操作部１３のボタン押圧操作とを組み合わせて選択するようにしてもよい。例えば、表示部１４の記憶モードを示す表示が操作部１３のボタン押圧操作により切り替えられ、センサ挿出入によって決定するようにしてもよい。
【００５４】
データ送信部１８ｆは、測定値算出部１８ａで血糖値が算出された場合に、送信禁止部１８ｈの決定と記憶モードとに応じて、血糖値等データを通信装置３に送信するものである。通信部１５はペアリングされた通信装置３と無線通信を行っているので、データ送信部１８ｆは無線通信によって血糖値等データを通信装置３に送信する。送信指示部１８ｇは、通信装置３に対して管理サーバ５に血糖値等データを送信するように指示する送信指示情報を、送信禁止部１８ｈの決定と記憶モードとに応じて、通信装置３に送信するものである。送信指示情報には、管理サーバ５のアドレス情報などが含まれている。送信指示情報を受信した通信装置３は、血糖値測定装置１から受信した血糖値等データを、ネットワーク回線４を介して、管理サーバ５に送信する。なお、通信装置３が血糖値等データを受信すると自動的に管理サーバ５に転送する設定となっている場合は、送信指示部１８ｇを設けなくてもよい。
【００５５】
送信禁止部１８ｈは、禁止条件判別部１８ｃおよび解除条件判別部１８ｄの判別結果に基づいて、血糖値等データの管理サーバ５への送信を行うか否かを決定するものである。送信禁止部１８ｈは、禁止条件判別部１８ｃによって禁止条件を満たしていると判別され、かつ、解除条件判別部１８ｄによって解除条件を満たしていないと判別された場合に、管理サーバ５への送信を行わないことを決定する。一方、送信禁止部１８ｈは、禁止条件判別部１８ｃによって禁止条件を満たしていないと判別された場合、または、禁止条件判別部１８ｃによって禁止条件を満たしていると判別されたが、解除条件判別部１８ｄによって解除条件を満たしていると判別された場合に、管理サーバ５への送信を行うことを決定する。なお、解除条件判別部１８ｄを設けない場合は、送信禁止部１８ｈが、禁止条件判別部１８ｃによって禁止条件を満たしていると判別された場合に管理サーバ５への送信を行わないことを決定し、禁止条件判別部１８ｃによって禁止条件を満たしていないと判別された場合に管理サーバ５への送信を行うことを決定するようにすればよい。
【００５６】
送信禁止部１８ｈが管理サーバ５への送信を行うことを決定した場合、データ送信部１８ｆは血糖値等データを通信装置３に送信し、送信指示部１８ｇは送信指示情報を通信装置３に送信する。一方、送信禁止部１８ｈが管理サーバ５への送信を行わないことを決定した場合、血糖値等データが管理サーバ５に送信されることは禁止される。この場合、記憶モードによって、データ送信部１８ｆおよび送信指示部１８ｇの処理が異なる。
【００５７】
すなわち、測定装置記憶モードの場合、データ送信部１８ｆは血糖値等データを通信装置３に送信せず、送信指示部１８ｇは送信指示情報を通信装置３に送信せず、血糖値等データは記憶部１７に記憶される。通信装置記憶モードの場合、データ送信部１８ｆは血糖値等データを通信装置３に送信し、送信指示部１８ｇは送信指示情報を通信装置３に送信せず、血糖値等データは通信装置３の記憶部に記憶される。両方記憶モードの場合、データ送信部１８ｆは血糖値等データを通信装置３に送信し、送信指示部１８ｇは送信指示情報を通信装置３に送信せず、血糖値等データは記憶部１７および通信装置３の記憶部に記憶される。患者は、センサ挿出入により記憶モードを選択しておくことで、血糖値等データをどの記憶部に記憶するか変更することができる。したがって、例えば、記憶部１７の血糖値等データを記憶するための領域の記憶容量の残りが少ない場合などに、通信装置記憶モードに切り替えて、通信装置３の記憶部に記憶することができる。なお、記憶部１７の血糖値等データを記憶するための領域の記憶容量の残りが少ない場合などに、記憶モードを自動的に通信装置記憶モードに切り替えるようにしてもよい。
【００５８】
記憶部１７に記憶された血糖値等データは、血糖値が測定されて送信禁止部１８ｈが管理サーバ５への送信を行うことを決定した場合に、併せて通信装置３に送信され、管理サーバ５へ送信される。また、通信装置３の記憶部に記憶された血糖値等データも、送信禁止部１８ｈが管理サーバ５への送信を行うことを決定した場合に、併せて管理サーバ５へ送信される。これにより、禁止条件を満たしている間に記憶されていた血糖値等データが、禁止条件を満たさなくなって血糖値が測定されたときに併せて管理サーバ５へ送信される。なお、記憶されていた血糖値等データを送信する前に、送信するか否かの確認をするようにしてもよい。また、血糖値の測定を行ったときに限らず、禁止条件を満たさなくなったときに管理サーバ５へ送信されるようにしてもよい。
【００５９】
なお、選択部１８ｅを設けずに、いずれの記憶部に記憶するかを決めておいてもよい。例えば、記憶部１７の血糖値等データを記憶するための領域の記憶容量が多い場合などには、データ送信部１８ｆが血糖値等データを通信装置３に送信せず、血糖値等データが記憶部１７に記憶されるようにしておけばよい。また、記憶部１７の血糖値等データを記憶するための領域の記憶容量が少ない場合などには、データ送信部１８ｆが血糖値等データを通信装置３に送信し、送信指示部１８ｇが送信指示情報を通信装置３に送信しないようにして、血糖値等データが通信装置３の記憶部に記憶されるようにしておけばよい。
【００６０】
通信装置３は、通信可能な無線基地局を把握しており、これに対応する通信ネットワークの情報を血糖値測定装置１に送信することができる。通信ネットワークを設定するための通信ネットワーク設定メニューが選択されている場合、制御部１８は、受信した通信ネットワークの情報を表示部１４に表示する。制御部１８は、複数の通信ネットワークの情報を受信した場合、周期的に切り替えながら表示部１４に表示する。制御部１８は、センサ検知部１２から入力される信号によって、センサ挿出入がされたことを判断して、通信ネットワークの設定を行う。すなわち、センサ挿出入がされたときに表示部１４に表示されていた通信ネットワークが、管理サーバ５と通信を行うための通信ネットワークに設定される。なお、通信ネットワークの設定方法はこれに限られず、センサ挿出入と操作部１３のボタン押圧操作とを組み合わせて設定するようにしてもよい。例えば、表示部１４の通信ネットワークの情報を示す表示が操作部１３のボタン押圧操作により切り替えられ、センサ挿出入によって決定するようにしてもよい。
【００６１】
図３は、制御部１８が行う自動送信処理を説明するためのフローチャートである。自動送信処理は、患者が血糖値を測定したときに血糖値等データを管理サーバ５に自動送信するための処理である。自動送信処理は、血糖値測定装置１の電源がオンにされた時に開始され、電源がオフにされるまで継続する。
【００６２】
まず、血糖値が測定されたか否かが判別される（Ｓ１）。当該判別は、測定値算出部１８ａが血糖値を算出したか否かで判別される。血糖値が測定されなかった場合（Ｓ１：ＮＯ）、ステップＳ１に戻り、血糖値が測定されるまで判別を繰り返す。血糖値が測定された場合（Ｓ１：ＹＥＳ）、サービス状況が確認される（Ｓ２）。具体的には、状況確認部１８ｂが通信装置３にサービス状況の問い合わせのための信号を送信し、サービス状況を回答情報として受信する。
【００６３】
次に、国際ローミング状態であるか否かが判別される（Ｓ３）。すなわち、禁止条件判別部１８ｃが、サービス状況に国際ローミング状態であることが含まれるか否かを判別する。国際ローミング状態でない場合（Ｓ３：ＮＯ）、血糖値等データが通信装置３に送信される（Ｓ４）。次に、通信装置３に対して血糖値等データの管理サーバ５への送信が指示され（Ｓ５）、ステップＳ１に戻る。通信装置３に対する送信指示は、送信指示部１８ｇが送信指示情報を通信装置３に送信することで行われる。送信指示情報を受信した通信装置３は、送信指示情報に含まれる管理サーバ５のアドレス情報を用いて、血糖値測定装置１から受信した血糖値等データを管理サーバ５に送信する。これにより、血糖値が測定されたときに、血糖値等データが管理サーバ５に自動送信されることになる。
【００６４】
ステップＳ３において、国際ローミング状態である場合（Ｓ３：ＹＥＳ）、送信禁止解除設定の設定状況が確認されて（Ｓ６）、送信禁止が解除されているか否かが判別される（Ｓ７）。すなわち、解除条件判別部１８ｄが、送信禁止解除設定が設定されているか否かを判別する。送信禁止が解除されている場合（Ｓ７：ＹＥＳ）、血糖値等データおよび送信指示情報が通信装置３に送信され（Ｓ４、Ｓ５）、ステップＳ１に戻る。一方、送信禁止が解除されていない場合（Ｓ７：ＮＯ）、記憶モードが確認され（Ｓ８）、記憶モードが測定装置記憶モードであるか否かが判別される（Ｓ９）。
【００６５】
記憶モードが測定装置記憶モードの場合（Ｓ９：ＹＥＳ）、血糖値等データが記憶部１７に記憶され（Ｓ１０）、ステップＳ１に戻る。この場合、血糖値等データは通信装置３に送信されず、通信装置３に対する管理サーバ５への送信も指示されない。一方、記憶モードが測定装置記憶モード以外の場合（Ｓ９：ＮＯ）、血糖値等データが通信装置３に送信され（Ｓ１１）、ステップＳ１に戻る。この場合も、通信装置３に対する管理サーバ５への送信は指示されないので、通信装置３は、受信した血糖値等データを管理サーバ５に送信せず、記憶部に記憶する。なお、両方記憶モードの場合、血糖値等データは記憶部１７にも記憶される。
【００６６】
本実施形態においては、血糖値が測定されたときに国際ローミング状態であった場合、血糖値等データを管理サーバ５に送信することが禁止される。したがって、国際ローミング状態のときに患者が気付かずに通信を行って、高額な通信料金が請求されてしまうことを防ぐことができる。
【００６７】
また、送信禁止解除設定が設定されている場合、国際ローミング状態であっても、血糖値等データが管理サーバ５に送信される。したがって、通信料金を気にしない場合や、血糖値等データの自動送信が必要な場合、送信禁止解除設定を設定しておくことで、血糖値を測定した時に管理サーバ５に自動送信することができる。また、記憶モードを設定することで、血糖値等データを管理サーバ５に送信することが禁止された場合に、血糖値等データを所望の記憶部に記憶することができる。また、本実施形態においては、血糖値測定装置１に送信を禁止する構成が備えられているので、通信装置３の種類に関係なく、管理サーバ５への送信を禁止することができる。
【００６８】
なお、上記第１実施形態においては、「国際ローミング状態である」ことを禁止条件とした場合について説明したが、これに限られない。例えば、「割引時間帯でない」ことを禁止条件としてもよい。この場合、禁止条件判別部１８ｃが、取得したサービス状況に時間帯割引契約が含まれ、かつ、制御部１８が有する時計機能により取得した現在時刻が割引時間帯でない場合に、禁止条件を満たしていると判別するようにすればよい。この場合、割引時間帯でない時間帯での通信が禁止され、割引時間帯にのみ通信が行われる。したがって、患者が時間帯を気にせずに血糖値の測定を行っても、時間帯割引がされない通信料金が請求されることを防ぐことができる。所定の時間帯の通話が定額となる契約の場合には、同様にして、「定額時間帯でない」ことを禁止条件とすればよい。
【００６９】
また、「定額料金契約の範囲外である」ことを禁止条件としてもよい。この場合、禁止条件判別部１８ｃが、取得したサービス状況に定額料金契約が含まれ、かつ、定額料金が適用できる状態でない場合に、禁止条件を満たしていると判別するようにすればよい。この場合、定額料金契約の範囲外での通信が禁止され、定額料金契約の範囲内でのみ通信が行われる。したがって、患者が定額料金契約の適用範囲を気にせずに血糖値の測定を行っても、適用範囲外での追加通信料金が請求されることを防ぐことができる。
【００７０】
所定の金額までは従量制で所定の金額以上は定額制となる通信料金プランがある。このプランを契約していることを禁止条件とし、所定の金額に達したことを解除条件としてもよい。この場合、所定の金額に達するまでは通信が禁止され、所定の金額に達した後は通信が行われるので、通信料金を節約することができる。
【００７１】
上記第１実施形態においては、血糖値測定装置１が血糖値を測定する装置であり、管理システムＡが患者の血糖値を管理する場合について説明したが、これに限られない。例えば、血糖値測定装置１の血糖値を測定する構成（センサ２、センサ装着部１１、分析用電気回路部１６、および測定値算出部１８ａ）を血圧を測定する構成に代えて血圧測定装置とすることで、患者の血圧を管理する管理システムとすることができる。同様に、血糖値測定装置１を血液分析装置、尿分析装置、心電図測定装置などとすることで、これらによる測定値を管理する管理システムとすることもできる。また、医療用の管理システムに限定されず、血糖値測定装置１を糖度測定装置や位置測定装置などとした管理システムとすることもできる。
【００７２】
上記第１実施形態においては、通信装置３が携帯電話装置である場合について説明したが、これに限られない。通信装置３は、例えば、スマートフォン、携帯情報端末、ラップトップパソコンなどの携帯して通信を行う装置であってもよい。また、通信装置３は、固定式の（携帯できない）通信装置であるデスクトップパソコンや固定電話であってもよい。なお、固定式の通信装置の場合、国際ローミングによる問題は生じないが、時間帯割引や定額料金の契約をしている場合に、本発明が有効である。
【００７３】
上記第１実施形態においては、血糖値等データと送信指示情報とが別の情報として通信装置３に送信される場合について説明したが、これに限られない。血糖値等データに送信指示情報が含まれるようにしてもよい。この場合、記憶モードが測定装置記憶モード以外のときは、血糖値等データから送信指示情報を削除して通信装置３に送信すればよい。
【００７４】
上記第１実施形態においては、送信を禁止する構成を血糖値測定装置１が備える場合について説明したが、これに限られない。例えば、送信を禁止する構成を通信装置３に設けるようにしてもよい。以下では、送信を禁止する構成を通信装置が備える場合を第２実施形態として説明する。
【００７５】
図４は、第２実施形態に係る血糖値測定装置を説明するためのブロック図である。同図において、図２に示す血糖値測定装置１と同一または類似の要素には、同一の符号を付している。
【００７６】
血糖値測定装置１’は、状況確認部１８ｂ、禁止条件判別部１８ｃ、解除条件判別部１８ｄ、選択部１８ｅ、および、送信禁止部１８ｈを備えていない点のみが、第１実施形態に係る血糖値測定装置１と異なる。
【００７７】
血糖値測定装置１’は送信を禁止する構成を備えておらず、測定値算出部１８ａで血糖値が算出された場合、データ送信部１８ｆが血糖値等データを通信装置３’に送信し、送信指示部１８ｇが送信指示情報を通信装置３’に送信する。その他の構成は第１実施形態に係る血糖値測定装置１と共通するので、説明を省略する。
【００７８】
図５は、第２実施形態に係る通信装置を説明するためのブロック図である。
【００７９】
通信装置３’は、操作部３１、表示部３２、第１通信部３３、第２通信部３４、記憶部３５、および制御部（ＣＰＵ）３６を備えている。なお、通信装置３’の構成は、制御部３６の機能的な構成に送信を禁止する構成が含まれている以外は、一般的な携帯電話装置のものと共通している。
【００８０】
操作部３１は、操作入力のために押圧される複数のボタンを備えている。各ボタンの配置や機能は一般的な携帯電話装置と同様である。操作部３１は、ボタンが押圧された場合にボタンにより異なる操作信号を制御部３６に入力する。制御部３６は入力された操作信号によりいずれのボタンが押圧されたかを認識し、対応する処理を行う。
【００８１】
表示部３２は、電話番号や各種メッセージなどを表示するものであり、例えば液晶表示装置の表示画面により構成されている。
【００８２】
第１通信部３３は、Ｂｌｕｅｔｏｏｔｈ（登録商標）技術を用いた短距離無線通信を行うものである。第１通信部３３は、あらかじめ血糖値測定装置１’とペアリングが行われることで、血糖値測定装置１’との間で情報を送受信することができる。なお、第１通信部３３はこれに限定されず、赤外線通信などの他の通信技術で通信を行うようにしてもよい。また、無線通信に限定されず、接続ケーブルで接続して有線通信を行うようにしてもよい。
【００８３】
第２通信部３４は、ネットワーク回線４を介して管理サーバ５と通信を行うものである。第２通信部３４は、図示しない無線基地局との間で無線通信を行い、当該無線基地局と接続するネットワーク回線４に接続する。
【００８４】
記憶部３５は、ＲＯＭ、ＲＡＭ、および不揮発性メモリなどを備えている。ＲＯＭは、制御部３６で実行される制御プログラムなどが記憶されるものである。ＲＡＭは、情報が仮に格納されるためのエリアと制御部３６が演算などを行う際に使用するワークエリアを提供するものである。不揮発性メモリは、血糖値等データなどを記憶しておくものである。なお、後述する図６のフローチャートに示す自動送信処理などのプログラムは、あらかじめＲＯＭに記憶しておいてもよいし、ネットワーク回線４を介してダウンロードして不揮発性メモリに記憶するようにしてもよい。
【００８５】
制御部３６は、通信装置３’の各種制御や信号処理を行うものであり、例えば、ＣＰＵを用いて構成されている。制御部３６を機能的な観点から見ると、データ取得部３６ａ、状況確認部３６ｂ、禁止条件判別部３６ｃ、解除条件判別部３６ｄ、転送部３６ｆ、送信禁止部３６ｈ、および、データ識別部３６ｉを備えた構成となっている。
【００８６】
データ取得部３６ａは、血糖値測定装置１’が送信した血糖値等データを、第１通信部３３を介して取得するものである。第１通信部３３はペアリングされた血糖値測定装置１’と無線通信を行っているので、データ取得部３６ａは無線通信によって血糖値測定装置１’から血糖値等データを取得する。データ取得部３６ａは、血糖値等データ以外のデータも取得することができる。例えば、図示しない血圧測定装置が送信した血圧に関するデータも取得することができる。
【００８７】
データ識別部３６ｉは、データ取得部３６ａが取得したデータの種類を識別するものであり、取得したデータに血糖値等データであることを示すデータが含まれている場合に血糖値等データであると識別する。
【００８８】
状況確認部３６ｂは、通信装置３’のサービス状況を確認するものである。確認されるサービス状況には、国際ローミング状態であるか否かが含まれる。状況確認部３６ｂは、国際ローミング状態であるか否かを、契約通信会社の無線基地局と通信が不可能であり、契約通信会社の海外の提携会社の無線基地局と通信が可能である状態であるか否かで判断する。
【００８９】
禁止条件判別部３６ｃは、状況確認部３６ｂが確認したサービス状況から、国際ローミング状態であるか否かを判別するものである。すなわち、禁止条件判別部３６ｃは、「国際ローミング状態である」という禁止条件を満たしているか否かを判別している。なお、禁止条件はこれに限られない。禁止条件およびその判別の方法は、適宜設定すればよい。
【００９０】
本実施形態においては、禁止条件を満たしている場合でも血糖値等データを管理サーバ５に送信するための設定である送信禁止解除設定をあらかじめ設定しておくことができる。解除条件判別部３６ｄは、この送信禁止解除設定が設定されているか否かを判別するものである。すなわち、解除条件判別部３６ｄは、「送信禁止解除設定が設定されている」という解除条件を満たしているか否かを判別している。つまり、解除条件判別部３６ｄは、管理サーバ５への送信を許可するようにあらかじめ設定されていた場合、所定の解除条件を満たしたと判別する。解除条件を満たしている場合、禁止条件を満たしていても血糖値等データを管理サーバ５に送信することができる。したがって、通信料金に関係なく血糖値等データをすぐに管理サーバ５に送信すべき場合に有効である。
【００９１】
なお、解除条件はこれに限られない。例えば、記憶部３５の血糖値等データを記憶する領域が一杯であることを解除条件としてもよい。また、禁止条件を満たしていた場合に、その旨と本当に送信しなくてもいいかを問い合わせるメッセージを表示部３２に表示し、送信するか否かを患者に選択させるようにしてもよい。なお、解除条件を設定せず、解除条件判別部３６ｄを設けないようにしてもよい。
【００９２】
転送部３６ｆは、データ取得部３６ａが血糖値等データを取得し、制御部３６が血糖値測定装置１’から送信指示情報を受信した場合に、送信禁止部３６ｈの決定に応じて、血糖値等データを第２通信部３４およびネットワーク回線４を介して、管理サーバ５に送信するものである。転送部３６ｆは、血糖値等データ以外のデータもそれぞれ対応するサーバに送信することができる。各サーバのアドレス情報はあらかじめ記憶部３５に記憶されており、データ識別部３６ｉによって識別されたデータの種類に対応するサーバを送信先とする。なお、送信指示情報が管理サーバ５のアドレス情報を含むようにして、このアドレス情報を用いて管理サーバ５に送信するようにしてもよい。なお、転送部３６ｆは、データ取得部３６ａが血糖値等データを取得した場合に、血糖値等データを管理サーバ５に送信するようにしてもよい。この場合、血糖値測定装置１’は送信指示情報を送信する必要がない。
【００９３】
送信禁止部３６ｈは、禁止条件判別部３６ｃおよび解除条件判別部３６ｄの判別結果に基づいて、血糖値等データの管理サーバ５への送信を行うか否かを決定するものである。送信禁止部３６ｈは、禁止条件判別部３６ｃによって禁止条件を満たしていると判別され、かつ、解除条件判別部３６ｄによって解除条件を満たしていないと判別された場合に、管理サーバ５への送信を行わないことを決定する。一方、送信禁止部３６ｈは、禁止条件判別部３６ｃによって禁止条件を満たしていないと判別された場合、または、禁止条件判別部３６ｃによって禁止条件を満たしていると判別されたが、解除条件判別部３６ｄによって解除条件を満たしていると判別された場合に、管理サーバ５への送信を行うことを決定する。なお、解除条件判別部３６ｄを設けない場合は、送信禁止部３６ｈが、禁止条件判別部３６ｃによって禁止条件を満たしていると判別された場合に管理サーバ５への送信を行わないことを決定し、禁止条件判別部３６ｃによって禁止条件を満たしていないと判別された場合に管理サーバ５への送信を行うことを決定するようにすればよい。
【００９４】
送信禁止部３６ｈが管理サーバ５への送信を行うことを決定した場合、転送部３６ｆは血糖値等データを管理サーバ５へ送信する。一方、送信禁止部３６ｈが管理サーバ５への送信を行わないことを決定した場合、血糖値等データが管理サーバ５に送信されることは禁止され、転送部３６ｆは血糖値等データを管理サーバ５へ送信せず、血糖値等データは記憶部３５に記憶される。
【００９５】
記憶部３５に記憶された血糖値等データは、血糖値等データが取得されて送信禁止部３６ｈが管理サーバ５への送信を行うことを決定した場合に、併せて管理サーバ５へ送信される。これにより、禁止条件を満たしている間に記憶されていた血糖値等データが、禁止条件を満たさなくなって血糖値等データが取得されたときに併せて管理サーバ５へ送信される。なお、記憶されていた血糖値等データを送信する前に、送信するか否かの確認をするようにしてもよい。また、血糖値等データが取得されたときに限らず、禁止条件を満たさなくなったときに管理サーバ５へ送信されるようにしてもよい。
【００９６】
図６は、制御部３６が行う自動送信処理を説明するためのフローチャートである。自動送信処理は、通信装置３’が血糖値測定装置１’から受信した血糖値等データを管理サーバ５に自動送信するための処理である。自動送信処理は、通信装置３’の電源がオンにされた時に開始され、電源がオフにされるまで継続する。
【００９７】
まず、血糖値等データおよび送信指示情報が受信されたか否かが判別される（Ｓ２１）。受信されなかった場合（Ｓ２１：ＮＯ）、ステップＳ２１に戻り、受信されるまで判別を繰り返す。受信された場合（Ｓ２１：ＹＥＳ）、サービス状況が確認される（Ｓ２２）。
【００９８】
次に、国際ローミング状態であるか否かが判別される（Ｓ２３）。すなわち、禁止条件判別部３６ｃが、サービス状況に国際ローミング状態であることが含まれるか否かを判別する。国際ローミング状態でない場合（Ｓ２３：ＮＯ）、転送部３６ｆによって、血糖値等データが管理サーバ５に送信され（Ｓ２４）、ステップＳ２１に戻る。血糖値等データおよび送信指示情報を受信した通信装置３’は、記憶部３５に記憶された管理サーバ５のアドレス情報を用いて、血糖値等データを管理サーバ５に送信する。これにより、血糖値測定装置１’が血糖値を測定したときに、血糖値等データが管理サーバ５に自動送信されることになる。
【００９９】
ステップＳ２３において、国際ローミング状態である場合（Ｓ２３：ＹＥＳ）、送信禁止解除設定の設定状況が確認されて（Ｓ２５）、送信禁止が解除されているか否かが判別される（Ｓ２６）。送信禁止が解除されている場合（Ｓ２６：ＹＥＳ）、血糖値等データが管理サーバ５に送信され（Ｓ２４）、ステップＳ２１に戻る。一方、送信禁止が解除されていない場合（Ｓ２６：ＮＯ）、血糖値等データが記憶部３５に記憶され（Ｓ２７）、ステップＳ２１に戻る。この場合、血糖値等データは管理サーバ５に送信されない。
【０１００】
第２実施形態に係る血糖値測定装置１’は送信を禁止する構成を備えていない。しかし、第２実施形態に係る通信装置３’は、第１実施形態に係る血糖値測定装置１が備えるのと同様の送信を禁止する構成を備えている。したがって、第２実施形態においても、第１実施形態と同様の効果を奏することができる。また、第２実施形態において、通信装置３’は、取得したデータをデータの種類に応じたサーバにそれぞれ送信することができる。したがって、複数の測定装置から送信される各データを、それぞれ対応するサーバに送信することができる。
【０１０１】
なお、上記第２実施形態においては、「国際ローミング状態である」ことを禁止条件とし、血糖値測定装置１’が血糖値を測定する装置であり、管理システムＡが患者の血糖値を管理する場合で、通信装置３’が携帯電話装置である場合について説明したが、これに限られない。上記第１実施形態と同様に、禁止条件を他のものにしてもよいし、血糖値測定装置１’に代えて他の測定装置を用いるようにしてもよいし、通信装置３’が他の通信装置であってもよい。
【０１０２】
上記第２実施形態においては、血糖値等データと送信指示情報とが別の情報として通信装置３’に送信される場合について説明したが、これに限られない。血糖値等データに送信指示情報が含まれるようにしてもよい。
【０１０３】
上記第２実施形態においては、通信装置３’が血糖値測定装置１’から受信したデータをそのまま管理サーバ５に送信する場合について説明したが、これに限られない。例えば、通信装置３’が血糖値測定装置１’から受信したデータを加工してから管理サーバ５に送信するようにしてもよい。また、通信装置３’が測定装置以外のものからデータを受信するようにしてもよいし、通信装置３’が内部の処理で作成することでデータを取得するようにしてもよい。例えば、患者が通信装置３’の機能を用いて作成したメールを管理サーバ５に送信する場合にも、本発明を適用することができる。
【０１０４】
なお、上記第１実施形態に係る血糖値測定装置１に、通信機能を持たせるようにしてもよい。以下に、血糖値測定装置が通信機能を備える場合を第３実施形態として説明する。この場合、管理システムＡ（図１参照）は、通信装置３を含まない構成となる。
【０１０５】
図７は、第３実施形態に係る血糖値測定装置を説明するためのブロック図である。同図において、図２に示す血糖値測定装置１と同一または類似の要素には、同一の符号を付している。
【０１０６】
血糖値測定装置１”は、選択部１８ｅ、データ送信部１８ｆ、送信指示部１８ｇを備えていない点と、サーバ送信部１８ｊおよび第２通信部１９を備えている点とが、第１実施形態に係る血糖値測定装置１と異なる。第１通信部１５は、血糖値測定装置１の通信部１５と同じものである。また、サーバ送信部１８ｊおよび第２通信部１９は、第２実施形態に係る通信装置３’の転送部３６ｆおよび第２通信部３４とそれぞれ同様のものである。なお、サーバ送信部１８ｊは、測定値算出部１８ａで血糖値が算出された場合に血糖値等データを管理サーバ５に送信する点で、転送部３６ｆと異なる。
【０１０７】
血糖値測定装置１”は、他の通信装置にデータを送信する必要がないので、データ送信部１８ｆおよび送信指示部１８ｇを備えていない。一方、ネットワーク回線４を介して管理サーバ５と通信する必要があるので、サーバ送信部１８ｊおよび第２通信部１９を備えている。また、血糖値測定装置１”は、他の通信装置の記憶部に血糖値等データを記憶することがないので、選択部１８ｅを備えていない。各構成の機能および構造は対応する構成のものと同様なので、各構成の詳細な説明を省略する。
【０１０８】
図８は、制御部１８が行う自動送信処理を説明するためのフローチャートである。自動送信処理は、患者が血糖値を測定したときに血糖値等データを管理サーバ５に自動送信するための処理である。自動送信処理は、血糖値測定装置１”の電源がオンにされた時に開始され、電源がオフにされるまで継続する。
【０１０９】
まず、血糖値が測定されたか否かが判別される（Ｓ３１）。血糖値が測定されなかった場合（Ｓ３１：ＮＯ）、ステップＳ３１に戻り、血糖値が測定されるまで判別を繰り返す。血糖値が測定された場合（Ｓ３１：ＹＥＳ）、状況確認部１８ｂによって、サービス状況が確認される（Ｓ３２）。
【０１１０】
次に、禁止条件判別部１８ｃによって、国際ローミング状態であるか否かが判別される（Ｓ３３）。国際ローミング状態でない場合（Ｓ３３：ＮＯ）、サーバ送信部１８ｊによって、血糖値等データが管理サーバ５に送信され（Ｓ３４）、ステップＳ３１に戻る。これにより、血糖値が測定されたときに、血糖値等データが管理サーバ５に自動送信されることになる。
【０１１１】
ステップＳ３３において、国際ローミング状態である場合（Ｓ３３：ＹＥＳ）、送信禁止解除設定の設定状況が確認されて（Ｓ３５）、解除条件判別部１８ｄによって、送信禁止が解除されているか否かが判別される（Ｓ３６）。送信禁止が解除されている場合（Ｓ３６：ＹＥＳ）、血糖値等データが管理サーバ５に送信され（Ｓ３４）、ステップＳ３１に戻る。一方、送信禁止が解除されていない場合（Ｓ３６：ＮＯ）、血糖値等データが記憶部１７に記憶され（Ｓ３７）、ステップＳ３１に戻る。この場合、血糖値等データは管理サーバ５に送信されない。
【０１１２】
第３実施形態に係る血糖値測定装置１”は、送信を禁止する構成を備えている。したがって、第３実施形態においても、第１実施形態と同様の効果を奏することができる。また、第３実施形態に係る血糖値測定装置１”は、管理サーバ５と通信を行う構成を備えている。したがって、管理サーバ５と通信を行うための通信装置を必要としない。
【０１１３】
なお、上記第３実施形態においては、「国際ローミング状態である」ことを禁止条件とし、血糖値測定装置１”が血糖値を測定する装置であり、管理システムＡが患者の血糖値を管理する場合について説明したが、これに限られない。上記第１実施形態と同様に、禁止条件を他のものにしてもよいし、血糖値測定装置１”を他の測定装置としてもよい。
【０１１４】
本発明に係る測定装置、通信装置、管理システム、およびプログラムは、上述した実施形態に限定されるものではない。本発明に係る測定装置、通信装置、管理システム、およびプログラムの各部の具体的な構成は、種々に設計変更自在である。
【０１１５】
上記第３実施形態に関し、さらに以下の付記を開示する。
【０１１６】
（付記１）
ネットワーク回線を介して受信したデータを管理する管理装置を備える管理システムにおいて前記データを測定する測定手段を有する測定装置であって、
前記測定手段によって測定された前記データを前記管理装置に送信する管理装置送信手段と、
所定の禁止条件を満たしているか否かを判別する禁止条件判別手段と、
前記禁止条件判別手段が前記所定の禁止条件を満たしていると判別した場合に、前記管理装置送信手段が前記データを前記管理装置に送信することを禁止する送信禁止手段と、
を備えていることを特徴とする測定装置。
【０１１７】
（付記２）
通信サービス状況を確認する状況確認手段をさらに備え、
前記禁止条件判別手段は、前記状況確認手段によって所定のサービスが行われると確認された場合に、前記所定の禁止条件を満たしたと判別する、
付記１に記載の測定装置。
【符号の説明】
【０１１８】
Ａ  管理システム
１，１’，１”  測定装置
１８  制御部（ＣＰＵ）
１８ａ  測定値算出部
１８ｂ  状況確認部
１８ｃ  禁止条件判別部
１８ｄ  解除条件判別部
１８ｅ  選択部
１８ｆ  データ送信部
１８ｇ  送信指示部
１８ｈ  送信禁止部
１８ｊ  サーバ送信部
３，３’  通信装置
３６  制御部（ＣＰＵ）
３６ａ  データ取得部
３６ｂ  状況確認部
３６ｃ  禁止条件判別部
３６ｄ  解除条件判別部
３６ｆ  転送部
３６ｈ  送信禁止部
３６ｉ  データ識別部
４  ネットワーク回線
５  管理サーバ
【図１】
2012239162.tif 000003
【図２】
2012239162.tif 000004
【図３】
2012239162.tif 000005
【図４】
2012239162.tif 000006
【図５】
2012239162.tif 000007
【図６】
2012239162.tif 000008
【図７】
2012239162.tif 000009
【図８】
2012239162.tif 000010
【図９】
2012239162.tif 000011